(57)【特許請求の範囲】
【請求項１】
把手の操作によりロッドを駆動して、ラッチを装置本体から突出させ、あるいは装置本体に没入させるラッチ装置において、
前記ロッドのラッチ側の端部には、ねじ孔を有したラッチ保持板が前記ラッチに向かうように突設されており、
前記ラッチは、前記ラッチ保持板を収容する凹所と、出没方向に延び、前記凹所に通じる長孔とを備え、前記ラッチが、その突出量を変更可能なように、前記凹所に収容された前記ラッチ保持板に前記長孔を介してねじ止めされる構成とされ、前記ロッドに対してスライド自在に取り付けられ、固定され、かつ、前記ロッドとの間に配された付勢手段で付勢されており、
前記ラッチは、一方の側面を突出方向に向けて降下傾斜したガイド面とし、他方の側面を係止面とした構成とされ、該ガイド面側には、前記長孔を底部に有した凹溝が出没方向に沿って形成され、該凹溝でねじ頭を隠す構成となっており、
前記凹溝の底部は、突出方向に向けて降下傾斜していることを特徴とするラッチ装置。
【請求項２】
請求項１のラッチ装置を備えた建具。
【発明の詳細な説明】
【技術分野】
【０００１】
本発明は、装置本体からラッチが突出、没入するラッチ装置およびその装置を備えた建具に関する。
【背景技術】
【０００２】
家屋などの建築物の扉にはラッチ装置（ラッチ錠）が広く使用されている。
【０００３】
この種のラッチ装置は扉の戸先側端部に収容されており、そのラッチ部はばねによって付勢されている。つまり、ラッチ部の先端に配されたラッチは、通常時はばねの付勢力によってラッチ装置の開口部から突出している一方、把手を操作したときに装置本体の内部に没入するように構成されている。このようなラッチの出没動作によって、扉が扉枠に対して開閉可能で、突出した状態で扉枠に閉止するようになっている。
【０００４】
近時では、ラッチの突出量を変更できるように、ピニオンでラッチの位置を調節できるものや、ラッチ部のロッドをボルト軸で構成し、ナットとの螺合によりロッドの有効長さを調節できるものなどが提案されている（特許文献１、２参照）。
【０００５】
このようにラッチの突出量を変更できれば、扉を施工する扉枠を許容誤差よりも大きく施工して扉の閉止時にラッチが扉枠のラッチ受凹部に十分に係止されない場合でも、ラッチの突出量を大きくすることで係止の不備を改善することができる。
【先行技術文献】
【特許文献】
【０００６】
【特許文献１】特開平０９−２４２３９８号公報  図４
【特許文献２】特開２００９−１７４２９２号公報  図２等
【発明の概要】
【発明が解決しようとする課題】
【０００７】
しかしながら、上記文献のいずれのものもラッチ装置の内部構造が複雑になるため、装置が大型化するおそれがある。よって、厚さ寸法に制限のある扉等の建具に内蔵するのには不向きである。さらに、いったん扉に組み込んだのちには調整操作がしにくくなるという問題もある。
【０００８】
本発明は、このような事情を考慮して提案されたもので、その目的は、ラッチの突出量の調整を簡易にできるラッチ装置およびその装置を用いた建具を提供することにある。
【課題を解決するための手段】
【０００９】
上記目的を達成するために、本発明に係るラッチ装置は、把手の操作によりロッドを駆動して、ラッチを装置本体から突出させ、あるいは装置本体に没入させるラッチ装置において、ロッドのラッチ側の端部には、ねじ孔を有したラッチ保持板がラッチに向かうように突設されており、ラッチは、ラッチ保持板を収容する凹所と、出没方向に延び、凹所に通じる長孔とを備え、ラッチが凹所に収容されたラッチ保持板に長孔を介してねじ止めされる構成とされ、突出量を変更可能なように、ロッドに対してスライド自在に取り付けられ、固定され、かつ、ロッドとの間に配された付勢手段で付勢されており、ラッチは、一方の側面を突出方向に向けて降下傾斜したガイド面とし、他方の側面を係止面とした構成とされ、ガイド面側には、長孔を底部に有した凹溝が出没方向に沿って形成され、凹溝でねじ頭を隠す構成となっており、凹溝の底部は、突出方向に向けて降下傾斜していることを特徴とする。
【００１３】
また、本発明に係る建具は、上記いずれかの構成のラッチ装置を備えている。
【発明の効果】
【００１４】
本発明のラッチ装置によれば、上述のような構成としたことで、ラッチの突出量の調整を簡易にでき、許容誤差を超える少し大きめの扉枠を施工した場合でも、それに合うようにラッチの突出量を大きくすることができる。
【図面の簡単な説明】
【００１５】
【図１】本発明の一実施形態に係るラッチ装置の要部を示す図であり、（ａ）は正面図、（ｂ）は分解斜視図である。
【図２】（ａ）は図１（ａ）のＢ−Ｂ線に対応したラッチの拡大断面図、（ｂ）はラッチとロッドの結合状態を示した拡大断面図である。
【図３】（ａ）（ｂ）は、ラッチの突出量の調整態様の２例を示した要部の正面図である。
【図４】同ラッチ装置を備えた扉の施工状態を示した模式図であり、（ａ）は概略正面図、（ｂ）は（ａ）におけるＣ−Ｃ線矢視に対応させた一部破断概略断面図である。
【図５】ラッチの動作説明図であり、（ａ）（ｂ）はそれぞれ、ラッチの突出、没入の各状態を示したラッチ装置の縦断面図である。
【図６】（ａ）（ｂ）（ｃ）は本発明の他の３実施形態に係るラッチ装置の要部説明図であり、（ａ）は要部横断面図、（ｂ）（ｃ）は要部縦断面図である。
【発明を実施するための形態】
【００１６】
以下に、本発明の実施の形態について、添付図面を参照しながら説明する。
【００１７】
本実施形態では、図４（ａ）に示すように、扉１を住居等の内壁３に開設された開口部３ａに取り付けられた扉枠４に設置した例を示している。この開口部３ａは例えば、個室やトイレ等の内側空間９と、外側空間８（例えば廊下等）とを仕切る内壁３に出入口として設けられており、扉１によって閉塞または開放される。
【００１８】
扉１は、平板状の扉パネル１０と、この扉パネル１０に収容されたラッチ装置２０と、このラッチ装置２０に連結されたハンドル装置６０とを備えている。
【００１９】
扉パネル１０は、図４（ｂ）に示すように、その一方の側端部が、扉枠４を構成する一方の縦枠４ｂにヒンジ結合されており、扉１は蝶番７のヒンジピンを開閉支点として開閉される。図例には、扉１を、内側空間９より押し開く場合の状態における右側端部を開閉支点として施工した状態を示している。
【００２０】
また、扉パネル１０の側端部と対向する戸先（開放端）側の縦枠４ａの面には、後述するラッチに対応した位置にラッチ受凹部が形成されている。なお、図４（ｂ）において、符号６は、各縦枠４ａ、４ｂに設けられた戸当たり部材である。
【００２１】
この扉パネル１０の戸先側の側端部には、ラッチ装置２０を収容するラッチ装置収容部１１が設けられている。
【００２２】
また、ハンドル装置６０は、図４（ｂ）に示すように、扉パネル１０を挟んで、その内側および外側の両面側にそれぞれ対向するように配置された一対の把手（ハンドル６１、６１）を備え、それらが連結軸６２で結合された構成となっている。なお、図中の６３はハンドルの受座である。
【００２３】
このハンドル装置６０の連結軸６２は、扉パネル１０のラッチ装置収容部１１に設けた孔（不図示）を通じてラッチ装置２０の装置本体２２内を貫通しており、装置本体２２内においてラッチ駆動部５０（図５（ａ）参照）に連結されている。
【００２４】
ラッチ装置２０は、ケース２３内に各部を収容させた装置本体２２と、扉パネル１０の戸先側端面と略面一状に配された正面板２１とを備えている。装置本体２２の戸先側の側端部には側端片２４が設けられており、この側端片２４と正面板２１には、両者を連通する開口部２５が開設されている。
【００２５】
装置本体２２は、ラッチ３０の出没動作をなすラッチ部Ａと、このラッチ部Ａをハンドル操作により駆動させるラッチ駆動部５０とがケース２３に収容されて構成されている。ラッチ部Ａは、ハンドル６１の操作をしない通常時の状態では、ばね４５で付勢されて開口部２５から突出しており、ハンドル６１の操作をしたとき、およびラッチ３０を手指で押圧したときには、ばね４５が圧縮して開口部２５よりも内方に没入する。
【００２６】
ラッチ部Ａは、図１（ａ）に示すように、ラッチ部Ａの先端部に配され、突出状態において略全体が外部に露出されるラッチ３０と、このラッチ３０を連結したラッチ基部４１付きのロッド４０とを備えている。
【００２７】
なお、図１（ａ）等に矢印線で示したように、図面および以下の説明では、ラッチ３０の突出する方向を突出方向Ｘ１とし、それとは逆方向を没入方向Ｘ２としており、両方向を表わす場合には出没方向Ｘと記述している。
【００２８】
ロッド４０は、その本体は円柱状の棒材よりなり、ラッチ駆動部５０により駆動される駆動側の端部には円盤状の座板４２が設けられ、ラッチ側の端部にはラッチ基部４１が設けられている。ロッド４０の中間部は、ロッド４０がスライド自在となるように、ケースと一体化されたガイド板４６に支持されている。このガイド板４６とラッチ基部４１との間には、ロッド４０に装着されたばね４５（図１では不図示、図５参照）が配されている。
【００２９】
なお、ラッチ部Ａをハンドル操作により動作させるためのラッチ駆動部６０の構造および動作の詳細については、図５の説明において後述する。
【００３０】
ラッチ３０は、その一方の側面（図１（ｂ）における内側空間９（図４（ｂ）参照）側の面）が、突出方向Ｘ１に向けて降下傾斜したガイド面３０ａとされ、他方の側面（図１（ｂ）における外側空間８側の面）が係止面３０ｂとされている。ガイド面３０ａは扉１が閉動する際に縦枠４ａに当たってラッチ３０を没入させるための面であり、係止面３０ｂは縦枠４ａに設けたラッチ受凹部５にラッチ３０を係止させるための面である。
【００３１】
ラッチ基部４１はラッチ３０を直接的に保持する部材であり、基部本体４１ａのラッチ取付面には、ラッチ３０の係止面３０ｂ側寄りに、ねじ孔４１ｃを有したラッチ保持板４１ｂがラッチ３０に向かうように突設されている。また、基部本体４１ａのラッチ取付面には、ラッチ３０のガイド面３０ａ側寄りに、コイルばね３８の一端を固定する取付穴４１ｄが開設されている。
【００３２】
一方、ラッチ３０は、ラッチ基部４１に対向する面にラッチ保持板４１ｂを収容する凹所３３が開設され、ガイド面３０ａに凹溝３１が形成された構造となっている。
【００３３】
また、凹溝３１の底部３１ａは、突出方向Ｘ１に向けて降下傾斜しており、その底部３１ａには、出没方向Ｘに沿って延び、凹所３３に通じる長孔３２が形成されている。
【００３４】
なお、凹所３３は図例では、係止面３０ａ側も開口されているが、係止面３０ａ側を塞いだものであってもよい。また、凹所３３の係止面３０ｂ側の開口が露出されないように、例えばラッチ３０の上下面（扉を施工した際に上下に配される面）および係止面３０ｂを覆う閉塞板をラッチ３０に取り付けるようにしてもよい。
【００３５】
また、ラッチ３０のラッチ基部４１に対向する面の、ラッチ基部４１の取付穴４１ｄに対応する位置には、コイルばね４５の他端を固定するための取付穴３４が形成されている。
【００３６】
なお、コイルばね３８は、その両端が連結されていなくてもよく、いずれか一方がラッチ３０またはラッチ基部４１に連結されていてもよいし、両端がともに連結されないように配されてもよい。つまり、コイルばね３８はラッチ３０とラッチ基部４１との間で外れない程度に保持され、ラッチ３０を付勢するように配されていればよい。また、ラッチを付勢する付勢手段としてはコイルばね３８に限られず、例えばゴムなどの弾性体を用いてもよい。
【００３７】
ラッチ３０は、図２（ｂ）に示すように、その凹所３３に収容されたラッチ保持板４１ｂに対して、凹溝３１の底部３１ａに設けた長孔３２を介して、ボルト３５（タッピングねじ）でねじ止めされて取付固定されるようになっている。
【００３８】
このように、長孔３２を介してラッチ３０をねじ止め固定する構成であるため、長孔３２の一端から他端までの適所でスライド自在に固定でき、図２（ｂ）に示すように、ラッチ３０をラッチ基部４１との間に隙間Ｓを介在させた状態に保持することもできる。なお、図２（ｂ）において２点鎖線で示した状態は、ラッチ３０の突出量が最小となる場合であり、ラッチ３０とラッチ基部４１とが最も近接している。
【００３９】
ここで、ラッチ３０の突出量とは、通常時のラッチ３０が突出した状態において、開口部２５（正面板２１の前面）からラッチ３０の先端位置までの距離Ｌ１、Ｌ２（図３参照）である。なお、図３（ａ）（ｂ）の各々には、ラッチの突出量を異ならせた２状態例の正面図を示している。図３（ａ）（ｂ）において平行な２本の２点鎖線のうち、一方の２点鎖線Ｔ１は戸先側の縦枠４ａの側端を表わし、他方の２点鎖線Ｔ２は扉パネル１０の戸先側の側端を表わしている。
【００４０】
上述したように、ラッチ部Ａは、ラッチ３０をロッド４０に対してスライド自在に固定して、開口部２５からのラッチ３０の突出量を変更できる構造となっているため、ラッチ３０を、突出量を規定値（図３（ａ）の状態）よりも大きく突出させることができる。
【００４１】
扉枠４の縦枠４ａ、４ｂ間の幅寸法は、施工上の誤差により、扉パネル１０の幅寸法よりも許容誤差を超えて大きく形成される場合がある。しかも、その寸法差を蝶番７側で調整しようとしても、なおも戸先側の縦枠４ａと扉パネル１０の戸先側の端部との間に誤差範囲を越える隙間ができる場合がある。その場合には、ラッチ３０がラッチ受凹部５に一部しか収容されず係止が不十分となる（図３（ａ）参照）。
【００４２】
しかしながら、本ラッチ装置２０の構成によれば、上述したようにラッチ３０の突出量を大きくできる構成となっているため、突出量を調節して、ラッチ３０が確実にラッチ受凹部５に係止される状態にすることができる（図３（ｂ）参照）。
【００４３】
しかも、ラッチ３０のねじ止めだけで突出量を調節できる構成であるため、扉施工の現場で迅速かつ簡易に調整することができる。また、突出量の調節のためにラッチ装置２０の内部を変更する必要がないから、扉パネル１０に組み込んだ後でも簡単に調節できる。例えば、施工後の経年変化により扉枠４が変形して隙間ができた場合などに、家人でも簡単に調整できる。
【００４４】
また、突出量の調節のための機構がケース２３に内装されないため、ラッチ装置２０が大型化することはない。そのため、扉パネル１０のラッチ装置収容部１１の寸法を大きくする必要がなく、従来の扉パネル１０を仕様を変更せずに使用できる。
【００４５】
さらに、本実施形態の例では、凹溝３１の底部３１ａでねじ止めする構成であるため、ボルト３５のボルト頭がラッチ３０の外方に突出せず、ボルト３５によって美観が損なわれるおそれはなく、扉１の開閉動作に悪影響をもたらすおそれもない。
【００４６】
また、本実施形態では、凹溝３１の底部３１ａを傾斜させているため、十分な長さ寸法の長孔３２を形成でき、かつ凹溝３１の底部３１ａを強度が十分となる程度の厚さに形成できる。もちろん、ねじ止め作業をしやすくするために底部３１ａの面を、凹所３３に収容させたラッチ保持板４１ｂに平行となるように形成してもよい。
【００４７】
このように凹溝３１には傾斜した底部３１ａが形成されているため、ねじ止めした後に、ボルト頭が傾斜面をすべってラッチ３０がロッド４０に近づくような力が作用するが、コイルばね３８が配されているので、その付勢力によって固定位置を維持できる。
【００４８】
ラッチ３０のラッチ保持板４１ｂによる保持については、上記の他に、例えば図６（ａ）〜（ｃ）に示すように種々の態様が想定できる。
【００４９】
図６（ａ）に示したラッチ３０は、係止面３０ｂ側よりボルト３５を挿通させて固定する構成であり、ガイド面３０ａ側に凹所３３が形成され、係止面３０ｂ側に凹溝３１が形成されている。この凹溝３１の底部３１ａには、凹所３３に通じる長孔３２が開設されている。
【００５０】
また図６（ｂ）に示したラッチ３０は、ボルト３５を上下方向に挿通させて固定する構成であり、ラッチ３０の取付状態における下部に凹所３３が形成され、上部に凹溝３１が形成されている。この凹溝３１の底部３１ａには、凹所３３に通じる長孔３２が開設されている。
【００５１】
さらに図６（ｃ）に示したラッチ３０も、ボルト３５を上下方向に挿通させて固定する構成であるが、ラッチ保持板４１ｂを収容する凹所が形成されておらず、ラッチ保持板４１ｂはラッチ３０の下面に接するように取り付けられる。この場合、縦枠４ａのラッチ受凹部５（図４参照）は、ラッチ３０の下方に配されたラッチ保持板４１ｂとともにラッチ３０を収容できる寸法とする必要があることはいうまでもない。
【００５２】
また、ラッチ３０に凹溝３１や凹所３３を形成せずに、一方の側端から他方の側端に通じる長孔３２を設けて、ボルト頭およびラッチ保持板４１ｂの両方をラッチ３０の外方に突出させるような構成としてもよい。この構成によれば、凹所３３や凹溝３１が設けられていないため、ラッチ３０の強度を向上させることができる。
【００５３】
図６（ａ）〜（ｃ）にはコイルばね３８をラッチ３０、ラッチ基部４１間に設けない例を示したが、図１の例と同様に、凹溝３１の底部３１ａを傾斜面とし、ラッチ３０がコイルばね３８で付勢される構成としてもよい。
【００５４】
以上に示した種々のラッチ装置２０は、１つのラッチ保持板４１ｂでラッチ３０を保持する構成となっているが、強度を保持するために、複数のラッチ保持板を用いるようにしてもよい。例えば、離間させた２つのラッチ保持板を個別の凹所に収容できるようにしてもよい。
【００５５】
ついで、ハンドル操作によるラッチ部Ａの動作ならびにラッチ部Ａを駆動するラッチ駆動部５０の構造および動作の詳細について、図５を参照しながら説明する。なお、ラッチ部Ａの構成については上述しているため、説明は省略する。
【００５６】
ラッチ駆動部５０は、ハンドル装置６０（図４参照）の連結軸６２を中心軸として回動するハブ５１と、このハブ５１を反時計方向に付勢する作動ばね５２と、この作動ばね５２を収容する移動体５３とを備えている。
【００５７】
ハブ５１の中心部５１ａには、ハンドル装置６０の連結軸６２を貫通させる角孔５１ｂが開設してあり、中心部５１ａの上部には上突出部５１ｃが、中心部５１ａの下部には下突出部５１ｄが各々アーム状に形成されている。
【００５８】
上突出部５１ｃは二股状に分割（一方は図に表われない）されており、それらの間にラッチ部Ａのロッド４０が挟まれるように挿入され、上突出部５１ｃの先端部がロッド４０の座板４２に当接して係合している。
【００５９】
一方、下突出部５１ｄは移動体５３に当接しており、通常時は作動ばね５２の付勢力を移動体５３を介して受けて、ケース２３に形成されたストッパ５４にも当接している。つまり通常時では、ハブ５１は下突出部５１ｄが移動体５３とストッパ５４との間に挟まれた状態に保持されている。
【００６０】
この通常時においては、ばね４５がラッチ部Ａを突出方向Ｘ１に付勢してラッチ３０を開口部２５より外方に突出させている一方、ロッド４０の座板４２は作動ばね５２の付勢力を受けているハブ５１の上突出部５１ｃに当接されて係止状態にある。そのため、ラッチ３０は所定の突出量突出した状態で維持されている（図５（ａ）参照）。
【００６１】
ハンドル操作によりハブ５１が時計方向に回動すると、ハブ５１の上突出部５１ｃがロッド４０の座板４２をラッチ３０の没入方向Ｘ２へ押動し、ばね４５が圧縮された状態となってラッチ３０が装置本体２２内に没入する（図５（ｂ）参照）。
【００６２】
なお、図５には示していないが、扉の閉動によりラッチ３０が縦枠４ａ（図４参照）に当たって装置本体２２に没入する場合には、ラッチ部Ａは没入方向Ｘ２に移動するが、ハブ５１は作動ばね５２の付勢力が作用しているため、図５（ａ）の状態を維持する。
【００６３】
以上には、ラッチ装置２０を扉１に取り付けた実施形態の例を示したが、他の建具や家具に適用してもよい。
【符号の説明】
【００６４】
１      扉
２０      ラッチ装置
２２      装置本体
Ａ      ラッチ部
３０      ラッチ
３０ａ      ガイド面
３０ｂ      係止面
３１      凹溝
３１ａ      底部
３２      長孔
３３      凹所
３５      ボルト（ねじ）
３８      コイルばね
４０      ロッド
４１      ラッチ基部
４１ｂ      ラッチ保持板
４１ｃ      ねじ孔
６０      ハンドル装置
６１      ハンドル（把手）
Ｘ      出没方向
Ｘ１      突出方向
Ｘ２      没入方向
【図１】
0005887545.tif 000002
【図２】
0005887545.tif 000003
【図３】
0005887545.tif 000004
【図４】
0005887545.tif 000005
【図５】
0005887545.tif 000006
【図６】
0005887545.tif 000007